(57)【要約】【課題】背面部に端子を容易に接続することを可能とするための入出力端子の取り付け構造、及び、テレビジョン受像機を安価に提供する。【解決手段】テレビジョン受像機（電子機器）１は、テレビジョン本体２と、このテレビジョン本体２の背面部に設けられた複数の入出力端子３と、この入出力端子３とその周辺部とを露出する開状態と入出力端子３の少なくとも周辺部を閉塞する閉状態とに開閉可能なカバー４と、備えている。カバー４は、閉状態において入出力端子３に対向し、且つ、開状態においてユーザがテレビジョン受像機１の正面から視認可能な位置に、各入出力端子３に接続される外部端子を挿通させる穴部５と、穴部５に挿通された各外部端子を保持する保持手段としての保持部６と、穴部５の近傍に設けられ各入出力端子３を識別するための表示部７と、を有している。【選択図】図１
2008288959.tif 000002
【特許請求の範囲】
【請求項１】
電子機器に設けられた入出力端子の取り付け構造であって、
前記電子機器の背面部に設けられた複数の入出力端子と、
回動軸により前記背面部に開閉自在に設けられ、前記入出力端子とその周辺部とを露出する開状態と、前記入出力端子の少なくとも周辺部を閉塞する閉状態とに開閉可能なカバーと、を備え、
前記カバーは、前記閉状態において前記入出力端子に対向し、且つ、前記開状態においてユーザが前記電子機器の正面から視認可能な位置に、前記各入出力端子に接続される外部端子を挿通させる穴部を有し、
前記カバーを開状態から閉状態とすることで、前記開状態において前記穴部に挿通された前記各外部端子が、対応する前記各入出力端子に接続可能な位置に配置されることを特徴とする入出力端子の取り付け構造。
【請求項２】
請求項１に記載の入出力端子の取り付け構造において、
前記カバーは、前記穴部に挿通された前記各外部端子を保持する保持手段を備えることを特徴とする入出力端子の取り付け構造。
【請求項３】
請求項２に記載の入出力端子の取り付け構造において、
前記保持手段は、前記穴部に設けられた樹脂又はゴムからなることを特徴とする入出力端子の取り付け構造。
【請求項４】
請求項１〜３の何れか一項に記載の入出力端子の取り付け構造において、
前記カバーは、前記各入出力端子に個別に割り当てられて個別に開閉可能になっていることを特徴とする入出力端子の取り付け構造。
【請求項５】
請求項１〜４の何れか一項に記載の入出力端子の取り付け構造において、
前記カバーは、前記各入出力端子に対する前記各外部端子の挿入方向に対してスライド移動可能に設けられていることを特徴とする入出力端子の取り付け構造。
【請求項６】
請求項１〜５の何れか一項に記載の入出力端子の取り付け構造において、
前記カバーは、前記穴部の近傍に前記各入出力端子を識別するための表示部を備えてなることを特徴とする入出力端子の取り付け構造。
【請求項７】
請求項１〜６の何れか一項に記載の入出力端子の取り付け構造を備えてなることを特徴とするテレビジョン受像機。
【請求項８】
背面部に複数の入出力端子を備えるテレビジョン受像機において、
回動軸により前記背面部に設けられ、前記入出力端子とその周辺部とを露出する開状態と、前記入出力端子の少なくとも周辺部を閉塞する閉状態とに開閉可能であって前記各入出力端子に個別に割り当てられて個別に開閉可能とされたカバーを備え、
前記カバーは、
前記閉状態において前記入出力端子に対向し、且つ、前記開状態においてユーザが前記電子機器の正面から視認可能な位置に、前記各入出力端子に接続される外部端子を挿通させる穴部と、前記穴部に挿通された前記各外部端子を保持する保持手段と、前記穴部の近傍に設けられ前記各入出力端子を識別するための表示部と、を有し、
前記保持手段は、前記穴部に設けられ前記各外部端子を確実に保持できる樹脂又はゴムからなり、
前記カバーは、前記各入出力端子に対する前記各外部端子の挿入方向に対してスライド移動可能に設けられ、
前記カバーを開状態から閉状態とすることで、前記開状態において前記穴部に挿通した前記各外部端子が、対応する前記各入出力端子に接続可能な位置に配置されることを特徴とするテレビジョン受像機。
【発明の詳細な説明】
【技術分野】
【０００１】
本発明は、入出力端子の取り付け構造及びテレビジョン受像機に関する。
【背景技術】
【０００２】
従来、例えば、テレビジョン受像機等の電子機器には、他の電子機器との間で音声信号や映像信号、或いは、制御信号等の信号を入力したり出力したりするための１以上の端子（以下、入出力端子という）が設けられている。これらの入出力端子は、外観上や操作性等の理由から、機器の背面部に集中的に設けられることが多く、各電子機器に対して他の電子機器の端子（以下、外部端子という）を接続した状態でも、正面から見た外観や機器の操作性等を損なうことがないようになっている。そして、各入出力端子を露出させたり閉塞したりするためのカバーを、閉塞時に背面部と一体をなすように開閉自在に設けた電子機器が知られている（例えば、特許文献１参照）。
【０００３】
しかしながら、上記特許文献１に開示される電子機器は、入出力端子が電子機器の背面部に設けられていることにより、各入出力端子に外部端子を接続するには、ユーザが電子機器の背面側に回り込んだり、入出力端子を正面側に向けるように電子機器を回転させたりしなければならず、作業性が悪いという問題があった。
【０００４】
かかる問題に鑑みて、電子機器の背面部に複数の入出力端子を下向きに設け、各入出力端子の説明を意味する文字等を記載したシールと、このシールの文字等を正面側に反射する鏡とを設け、ユーザが正面側から外部端子の着脱作業を行う構成とした電子機器が知られている（例えば、特許文献２参照）。また、平常時に機器の背面部側に配設される入出力端子を、レールに沿って機器の側面部側に移動させる構成とした電子機器も知られている（例えば、特許文献３参照）。
【特許文献１】特開２００４−３３６４３３号公報
【特許文献２】特開２００６−６０３５６号公報
【特許文献３】特開平１１−９８４３７号公報
【発明の開示】
【発明が解決しようとする課題】
【０００５】
しかし、上記特許文献２に開示される電子機器は、鏡を見ながら外部端子を入出力端子に取り付けるため、作業が煩雑で煩わしいという問題がある。また、上記特許文献３に開示される電子機器は、入出力端子を背面部側と側面部側とに移動させるためのパネル板や、このパネル板を背面部側と側面部側との間で移動可能とするレールとを設けて入出力端子ごと移動させる構成であるため、構成が大がかりとなり、コスト高であるという問題があった。
【０００６】
本発明の課題は、背面部に端子を容易に接続することを可能とするための入出力端子の取り付け構造、及び、該入出力端子の取り付け構造を有する電子機器を安価に提供することにある。
【課題を解決するための手段】
【０００７】
上記課題を解決するために、請求項１に記載の発明は、
電子機器に設けられた入出力端子の取り付け構造であって、
前記電子機器の背面部に設けられた複数の入出力端子と、
回動軸により前記背面部に開閉自在に設けられ、前記入出力端子とその周辺部とを露出する開状態と、前記入出力端子の少なくとも周辺部を閉塞する閉状態とに開閉可能なカバーと、を備え、
前記カバーは、前記閉状態において前記入出力端子に対向し、且つ、前記開状態においてユーザが前記電子機器の正面から視認可能な位置に、前記各入出力端子に接続される外部端子を挿通させる穴部を有し、
前記カバーを開状態から閉状態とすることで、前記開状態において前記穴部に挿通された前記各外部端子が、対応する前記各入出力端子に接続可能な位置に配置されることを特徴とする。
【０００８】
請求項２に記載の発明は、請求項１に記載の入出力端子の取り付け構造において、
前記カバーは、前記穴部に挿通された前記各外部端子を保持する保持手段を備えることを特徴とする。
【０００９】
請求項３に記載の発明は、請求項２に記載の入出力端子の取り付け構造において、
前記保持手段は、前記穴部に設けられた樹脂又はゴムからなることを特徴とする。
【００１０】
請求項４に記載の発明は、請求項１〜３の何れか一項に記載の入出力端子の取り付け構造において、
前記カバーは、前記各入出力端子に個別に割り当てられて個別に開閉可能になっていることを特徴とする。
【００１１】
請求項５に記載の発明は、請求項１〜４の何れか一項に記載の入出力端子の取り付け構造において、前記カバーは、前記各入出力端子に対する前記各外部端子の挿入方向に対してスライド移動可能に設けられていることを特徴とする。
【００１２】
請求項６に記載の発明は、請求項１〜５の何れか一項に記載の入出力端子の取り付け構造において、
前記カバーは、前記穴部の近傍に前記各入出力端子を識別するための表示部を備えてなることを特徴とする。
【００１３】
請求項７に記載の発明は、テレビジョン受像機において、請求項１〜６の何れか一項に記載の入出力端子の取り付け構造を備えてなることを特徴とする。
【００１４】
請求項８に記載の発明は、テレビジョン受像機において、
背面部に複数の入出力端子を備えるテレビジョン受像機において、
回動軸により前記背面部に設けられ、前記入出力端子とその周辺部とを露出する開状態と、前記入出力端子の少なくとも周辺部を閉塞する閉状態とに開閉可能であって前記各入出力端子に個別に割り当てられて個別に開閉可能とされたカバーを備え、
前記カバーは、
前記閉状態において前記入出力端子に対向し、且つ、前記開状態においてユーザが前記電子機器の正面から視認可能な位置に、前記各入出力端子に接続される外部端子を挿通させる穴部と、前記穴部に挿通された前記各外部端子を保持する保持手段と、前記穴部の近傍に設けられ前記各入出力端子を識別するための表示部と、を有し、
前記保持手段は、前記穴部に設けられ前記各外部端子を確実に保持できる樹脂又はゴムからなり、
前記カバーは、前記各入出力端子に対する前記各外部端子の挿入方向に対してスライド移動可能に設けられ、
前記カバーを開状態から閉状態とすることで、前記開状態において前記穴部に挿通した前記各外部端子が、対応する前記各入出力端子に接続可能な位置に配置されることを特徴とする。
【発明の効果】
【００１５】
本発明によれば、閉状態において、電子機器の背面部に設けられた入出力端子を閉塞するカバーを、開状態においてユーザが正面から見えるように、回動軸を中心に回動させて開放させることができる。そして、ユーザは、該閉状態において各入出力端子に対向する位置に設けられた穴部の配置を、カバーが開状態に配置された状態で、電子機器の正面から視認することができる。これにより、ユーザは、開状態において、カバーの穴部に正面から外部端子を挿通させたまま、該カバーを閉状態に移動させることにより、各外部端子を対応する入出力端子に導いて容易に接続することができる。つまり、ユーザは、背面部に設けられた入出力端子に正面から容易に外部端子を取り付けることができる。従って、各入出力端子に外部端子を取り付ける際に、例えば、ユーザが電子機器の背面側に回り込んだり、或いは、入出力端子を正面側に向けるように電子機器を移動（回転）させたりする必要がなく、外部端子の着脱（取り付け）作業を容易に行うことができる。特に、開状態において電子機器の正面からユーザが穴部を視認可能となるようにカバーを取り付けるという簡易な構成により、上述の各効果を安価に実現することができる。
【発明を実施するための最良の形態】
【００１６】
以下、図面を参照して、本発明に係るテレビジョン受像機を実施するための最良の形態を詳細に説明する。なお、発明の範囲は、以下の説明及び図示例に限定されない。
【００１７】
＜テレビジョン受像機の構成＞
まず、本実施形態に係るテレビジョン受像機１の構成について、図１〜図８を参照して詳しく説明する。
図１は、本発明を適用した好適な実施形態として例示するテレビジョン受像機１を示す後方斜視図であり、図２は、テレビジョン受像機１を示す概略正面図であり、図３〜５は、入出力端子３の取り付け動作を示す動作説明図であり、図６は、テレビジョン受像機１の使用状態を示す後方斜視図であり、図７〜８は、本実施形態に係るテレビジョン受像機１の変形例を示す概略図である。
【００１８】
図１に示すように、本実施形態におけるテレビジョン受像機（電子機器）１は、例えば、テレビジョン本体２と、このテレビジョン本体２の背面部２ｂに設けられた複数の入出力端子３と、入出力端子３とその周辺部とを露出する開状態と入出力端子３の少なくとも周辺部を閉塞する閉状態とに開閉可能なカバー４と、備えている。
【００１９】
テレビジョン本体２は、図２に示すように、その正面側に、例えば、ブラウン管（ＣＲＴ）や液晶ディスプレイ（ＬＣＤ）、或いは、プラズマディスプレイ（ＰＤＰ）等の表示部２ａを有し、背面部２ｂには、例えば、ビデオデッキやゲーム機等との間で、音声信号や映像信号、制御信号等の電気信号を入力したり出力したりするための複数の入出力端子３を有している。
【００２０】
入出力端子３は、例えば、ビデオデッキやゲーム機等、他の電子機器（以下、外部機器という）との間で音声信号や映像信号、或いは、制御信号などの電気信号の入出力を行うケーブルのプラグ９（外部端子）を接続するための端子である。
本実施形態における入出力端子３は、例えば、図１に示すように、コンポジット（ＲＣＡ）端子を例に示している。ただし、本発明が適用される入出力端子３の種類はこれに限定されるものではなく、例えば、Ｓ端子、Ｄ端子、ＵＳＢ端子、或いは、ＨＤＭＩ端子等、種々の入力端子や出力端子を入出力端子３として適用することができる。
【００２１】
カバー４は、例えば、図１に示すように、各入出力端子３ごとに個別に割り当てられていて、回動軸８により、テレビジョン本体２の背面部２ｂに開閉可能に設けられて個別に開閉可能となっている。本実施形態におけるカバー４は、例えば、図３〜５に示すように、各入出力端子３に対する各外部端子９の挿入方向（本実施形態では、テレビジョン本体２の奥行方向）に対してスライド移動可能に設けられている。
【００２２】
具体的に、カバー４は、閉状態（図５、図６参照）において入出力端子３に対向し、且つ、開状態（図１〜３参照）においてユーザがテレビジョン受像機１の正面から視認可能な位置に、各入出力端子３に接続されるプラグ９を挿通させる穴部５と、穴部５に挿通されたプラグ９を保持する保持手段としての保持部６と、穴部５の近傍に設けられ各入出力端子３を識別するための表示部７と、を備えている。
【００２３】
穴部５は、カバー４が閉状態に配置されたときに各入出力端子３に対向する位置に設けられており、当該穴部５に挿通されたプラグ９を、それぞれ対応する入出力端子３に容易に導くことができるようになっている。かかる穴部５は、入出力端子３として採用される端子の形状に合わせて形成することが好ましい。すなわち、例えば、入出力端子３として左右又は上下の向きがある入出力端子３（例えば、Ｓ端子やＤ端子、或いは、ＨＤＭＩ端子等）が採用されている場合には、当該各入出力端子３に対応する穴部５の形状を、当該各穴部５に挿通されるプラグ９が、カバー４を閉状態とした際にそれぞれ対応する入出力端子３に合致する向きに配置される形状とすることが望ましい。
【００２４】
保持部６は、穴部５の周縁に沿って設けられており、各外部端子２を確実に保持できるように樹脂又はゴム等の弾性体から形成されている。本実施形態における保持部６は、例えば、ユーザがテレビジョン本体２の正面側からプラグ９を穴部５に差し込んだ状態（図３参照）において、当該プラグ９を把持してカバー４に仮止めできるようになっている。
【００２５】
表示部７は、テレビジョン本体２の背面部２ｂに設けられた複数の入出力端子３の種別をユーザが容易に識別できるようにするためのものであり、例えば、テレビジョン本体２に音声信号や映像信号、制御信号等を入力するための入力端子や、テレビジョン本体２から他の電子機器に音声信号等を出力するための出力端子の種類等が表示される。
【００２６】
かかる表示部７は、例えば、各入出力端子３を示す文字や記号等からなり、カバー４を開状態に配置した状態（図２参照）において、ユーザがテレビジョン本体２の正面側から容易に識別できるようになっている。具体的には、例えば、上下の向きが所定の方向に定められている文字表示等の場合、カバー４を開状態に配置した状態で、ユーザがテレビジョン本体２の正面側から容易に識別できるように表示することが好ましい。なお、この表示部７は、カバー４を開状態に配置した状態でユーザに種々の入出力端子３に対応する穴部５を識別させ得るものであればよく、その向きや配置は図指例に限定されない。
【００２７】
そして、カバー４を開状態から閉状態とすることで、開状態において穴部５に挿通した各外部端子９が、対応する各入出力端子３に対向する位置に配置され、互いが接続されるようになっている。
【００２８】
＜実施形態の作用＞
次に、図１〜図６に基づき、本実施形態に係るテレビジョン受像機１の動作説明を行う。
テレビジョン受像機１の入出力端子３に外部機器のプラグ９を接続する場合、まず、図１、図２に示すように、カバー４を開状態とする。この状態において、ユーザは、テレビジョン本体２の正面側から穴部５を容易に視認することができるようになる。また、各カバー４に設けられた表示部７を視認することにより、接続しようとするプラグ９を何れの穴部５に挿入すればよいかを容易に認識することができる。
【００２９】
次に、ユーザは、接続しようとするプラグ９を対応する穴部５に挿入してカバー４に保持させる（図３参照）。そして、テレビジョン本体２の正面側に立ったまま、該テレビジョン本体２の背面部２ｂ側に手を延べて、回動軸８を中心にして保持したプラグ９ごとカバー４を下方に回動させる（図４参照）。この状態で、プラグ９の先端が入出力端子３の挿入口に対向して配置された状態となる。また、このとき、ユーザは、テレビジョン本体２の背面部２ｂ側に回り込んだり、覗き込んだり、或いは、背面部２ｂ側を正面側に向けるようにテレビジョン本体２を回転させることなく、容易にプラグ９の取り付け操作を行うことができる。
【００３０】
そして、カバー４を水平方向にスライド移動させて背面部２ｂに嵌合させることにより、当該カバー４が閉状態とされ（図４、図５参照）、プラグ９と入出力端子３とが接続される。
【００３１】
＜実施形態の効果＞
以上説明したように、本発明に係るテレビジョン受像機１によれば、背面部２ｂに設けられたカバー４を回動させて開状態とすることができ、当該開状態とした際には、各入出力端子３に対応する位置に設けられた穴部５をユーザがテレビジョン本体２の正面側から容易に認識できるようにすることができる。これにより、背面部２ｂに設けられた入出力端子３に、正面側から容易にプラグ９を取り付けることができる。また、プラグ９を取り付ける際に、ユーザがテレビジョン本体２の背面部２ｂ（壁側）に入り込む必要がなく、また、テレビジョン本体２を移動（回転）させる必要もない。従って、プラグ９の着脱（取り付け）作業を容易に行うことができる。
【００３２】
また、保持部６を設けたことにより、外部端子を仮止め（仮保持）することができるため、正面側から背面部２ｂ側にプラグ９を移動させる際に、プラグ９が穴部５から外れることを防止することができる。従って、プラグ９取り付け作業を迅速且つ確実に行うことができる。
【００３３】
また、カバー４が、各入出力端子３に個別に割り当てられて個別に開閉可能としたことにより、例えば、プラグ９を取り付けようとしている一の入出力端子３以外の入出力端子３に、他のプラグ９が接続されていても弊害がない。すなわち、カバー４を開状態に配置する際に、他のプラグ９が外れて付いてくることがない。従って、プラグ９の取り付け作業を容易に行うことができる。
【００３４】
また、テレビジョン本体２に対してカバー４がスライド移動できることにより、複数のプラグ９を同時に取り付ける場合に、各プラグ９を対応する入出力端子３に平行に対向させてから、入出力端子３に接続することができる。
【００３５】
（その他）
なお、本実施形態では、テレビジョン受像機１に設けられた入出力端子３の取り付け構造を例に説明したが、本発明を適用することができる機器は上記実施形態に限定されるものではない。すなわち、例えば、オーディオ機器やＤＶＤ録再生器、或いは、ＰＣ端末等、外部端子を接続する入出力端子３を有する種々の機器に適用することができる。
【００３６】
また、入出力端子３及びこれに対応する穴部５の数は、４つに限定されるものではなく、所望の数とすることができる。
【００３７】
また、入出力端子３は、上記実施形態中に例示したもの以外にも、例えば、F型（アンテナ）端子（VHF/UHF、BS）、ステレオまたはモノラルの音声端子、コンポーネント端子、ＲＧＢ２１ピン、ステレオミニ（ヘッドホン）端子、または、モノラルミニ（イヤホン）端子など、種々の端子を採用することができる。
【００３８】
また、カバー４は、例えば、図７、図８に示すように、複数の入出力端子３に対応する複数の穴部５を有する一体物のカバー４ａ、４ｂとしてもよい。
【００３９】
また、カバー４は、本実施形態ではテレビジョン本体２の背面部２ｂ側上部に設けているが、これに限定されるものではなく、例えば、図８に示すように、ユーザが正面視にてテレビジョン本体２の右側或いは左側から視認できるように、テレビジョン本体２の背面部右側又は左側に設けてもよい。
【００４０】
また、カバー４は、例えば、入出力端子３とを一体に設ける構成とし、開状態において各入出力端子３をテレビジョン本体２の正面側に向けて配置できるようにしてもよい。このようにすれば、テレビジョン本体２の正面側から直接プラグ９と入出力端子３とを接続することができるため、プラグ９をより容易且つ確実に入出力端子６に取り付けることができる。
【図面の簡単な説明】
【００４１】
【図１】本発明を適用した好適な実施形態として例示するテレビジョン受像機１を示す後方斜視図である。
【図２】本実施形態に係るテレビジョン受像機１を示す概略正面図である。
【図３】本実施形態における入出力端子の取り付け動作を示す動作説明図である。
【図４】本実施形態における入出力端子の取り付け動作を示す動作説明図である。
【図５】本実施形態における入出力端子の取り付け動作を示す動作説明図である。
【図６】本実施形態に係るテレビジョン受像機１を示す後方斜視図である。
【図７】本実施形態における入出力端子の変形例を示す概略斜視図である。
【図８】本実施形態における入出力端子の変形例を示す概略正面図である。
【符号の説明】
【００４２】
１  テレビジョン受像機
２  テレビジョン本体
２ｂ  背面部
３  入出力端子
４，４ａ  カバー
５  穴部
６  保持部（保持手段）
７  表示部
８  回動軸
９  プラグ（外部端子）
【図１】
2008288959.tif 000003
【図２】
2008288959.tif 000004
【図３】
2008288959.tif 000005
【図４】
2008288959.tif 000006
【図５】
2008288959.tif 000007
【図６】
2008288959.tif 000008
【図７】
2008288959.tif 000009
【図８】
2008288959.tif 000010